(57)【要約】【課題】液化天然ガス燃料を燃料として使用する場合に直面している、極低温への設備対策と利用効率の問題点を克服でき、低コストで、排気ガス中の硫黄酸化物と二酸化炭素の排出量を低くできる、メタノールを燃料とする船舶を提供する。【解決手段】メタノールを燃料として運転可能な内燃機関１１を機関室２の内部に配置し、メタノール燃料タンク１２と、メタノール供給システム１３と、バルブユニット１４を上甲板６上に配置し、メタノールドレンタンク１６を機関室２の外部に備えると共に、メタノール供給システム１３からバルブユニット１４へ供給する第２配管２２と、バルブユニット１４から内燃機関１１へメタノールを供給する第３配管２３と、内燃機関１１からメタノールドレンタンク１６へメタノールドレンを排出する第４配管２４において、機関室２の内部に配置される配管部分２３ａ、２４ａを二重管にして構成する。【選択図】図１
2015221645.tif 000002
【特許請求の範囲】
【請求項１】
機関室の内部に配置され、メタノールを燃料として運転可能な内燃機関と、
上甲板上に配置され、メタノールを燃料として貯蔵するメタノール燃料タンクと、
上甲板上に配置され、前記メタノール燃料タンクから前記内燃機関にメタノールを供給するメタノール供給システムと、
上甲板上に配置され、前記メタノール燃料タンクから前記内燃機関へ供給されるメタノールの供給と供給量を制御する制御弁を集中して配置したバルブユニットと、
前記機関室の外部に配置され、前記内燃機関から排出されるメタノールを受け入れるメタノールドレンタンクを備えると共に、
前記メタノール燃料タンクから前記メタノール供給システムへメタノールを供給する第１配管と、
前記メタノール供給システムから前記バルブユニットへメタノールを供給する第２配管と、
前記バルブユニットから前記内燃機関へメタノールを供給する第３配管と、
前記内燃機関から前記メタノールドレンタンクへメタノールドレンを排出する第４配管を設け、
前記第３配管と前記第４配管の前記機関室の内部に配置される配管部分を二重管にして構成したメタノールを燃料とする船舶。
【請求項２】
船舶がメタノール運搬船であり、荷役用ポンプを使用して、メタノールをメタノール貨物倉又はスロップタンクから前記メタノール燃料タンクヘ供給するために、前記荷役用ポンプと前記メタノール燃料タンクとを接続する第５配管を備えたことを特徴とする請求項１記載のメタノールを燃料とする船舶。
【請求項３】
イナートガス発生システムを設け、該イナートガス発生システムと前記バルブユニットとを接続するガス配管を設けて、前記イナートガス発生システムで発生するイナートガスを、前記バルブユニットを介して前記メタノール供給システムと前記バルブユニットと前記内燃機関に供給して、前記メタノール供給システム、前記バルブユニット、前記内燃機関、前記第１配管、前記第２配管、前記第３配管、及び、前記第４配管をイナートガスでパージ可能に構成したことを特徴とする請求項１又は２に記載のメタノールを燃料とする船舶。
【請求項４】
前記バルブユニットを、前記メタノール供給システムより高い位置に配置したことを特徴とする請求項１〜３のいずれか１項に記載のメタノールを燃料とする船舶。
【発明の詳細な説明】
【技術分野】
【０００１】
本発明は、従来技術においては、船舶の機関の燃料として使用されていなかったメタノールを燃料とする船舶に関する。
【背景技術】
【０００２】
船舶においては、重油を燃料とするものが多いが、近年では、船舶から排出される排気ガスに含まれている窒素酸化物（ＮＯｘ）、硫黄酸化物（ＳＯｘ）、二酸化炭素（ＣＯ2）等の排出量に関して、国際条約などにより規制されており、この規制も年々強化されつつある。
【０００３】
これらの排気ガス規制への対応策の一つとして、環境にやさしいクリーンな燃料として、液化天然ガス（ＬＮＧ）が注目されている。この液化天然ガスは硫黄分を含まず、また、二酸化炭素の生成も少ないので、排気ガス中に含まれる硫黄酸化物や二酸化炭素を低減することが可能となる。
【０００４】
しかしながら、液化天然ガスにおいては、加圧しただけでは天然ガスは液化せず、液化のために、約−１６５℃の極低温状態にする必要があるため、燃料タンクや燃料供給システムには極低温に耐えられる特殊な材料が必要となる上に、液化天然ガスの防熱のための設備が必要になるため、設備費用がかさみ、コストが増大してしまうという、極低温への設備対策の問題があり、また、侵入熱により、液化天然ガスが気化して発生する蒸発ガスの処理の仕方によっては、燃料効率が悪化してしまうので、この蒸発ガスをどの程度有効利用できるかという利用効率の問題がある。
【０００５】
一方、ディーゼル機関でメタノールを燃料とすることが提案されてきている（例えば、特許文献１及び特許文献２参照）。このメタノールは、合成樹脂や農薬の材料に使用されるほか、ガソリンと混合して燃料としても使用されており、硫黄成分を含まない上に、常温でも液体であるため、取り扱いが容易である。
【先行技術文献】
【特許文献】
【０００６】
【特許文献１】特表２００３−５０４５４６号公報
【特許文献２】特表２０１３−５４４９３２号公報
【発明の概要】
【発明が解決しようとする課題】
【０００７】
本発明は、上記の状況を鑑みてなされたものであり、その目的は、液化天然ガス燃料を燃料として使用する場合に直面している、極低温への設備対策と利用効率の問題点を克服でき、低コストで、排気ガス中の硫黄酸化物と二酸化炭素の排出量を低くできる、メタノールを燃料とする船舶を提供することにある。
【課題を解決するための手段】
【０００８】
上記のような目的を達成するためのメタノールを燃料とする船舶は、機関室の内部に配置され、メタノールを燃料として運転可能な内燃機関と、上甲板上に配置され、メタノールを燃料として貯蔵するメタノール燃料タンクと、上甲板上に配置され、前記メタノール燃料タンクから前記内燃機関にメタノールを供給するメタノール供給システムと、上甲板上に配置され、前記メタノール燃料タンクから前記内燃機関へ供給されるメタノールの供給と供給量を制御する制御弁を集中して配置したバルブユニットと、前記機関室の外部に配置され、前記内燃機関から排出されるメタノールを受け入れるメタノールドレンタンクを備えると共に、前記メタノール燃料タンクから前記メタノール供給システムへメタノールを供給する第１配管と、前記メタノール供給システムから前記バルブユニットへメタノールを供給する第２配管と、前記バルブユニットから前記内燃機関へメタノールを供給する第３配管と、前記内燃機関から前記メタノールドレンタンクへメタノールドレンを排出する第４配管を設け、前記第３配管と前記第４配管の前記機関室の内部に配置される配管部分を二重管にして構成される。
【０００９】
この構成によれば、メタノール燃料タンクとメタノール供給システムとメタノールドレンタンクを機関室の外部に配置しているので、これらの装置から万一メタノールが漏れたとしても、機関室の内部にメタノールが漏れることが無くなる。また、第３配管と第４配管は機関室の内部に配置される配管部分は二重管にしているので、万一、内側の配管からメタノールが漏れても、この漏出を検知して機関室内に漏出する前に対処することができるので、機関室内にメタノールが漏れることを防止できる。
【００１０】
従って、安全にメタノールを機関室内の機関で燃焼することができるので、メタノールを燃料とする船舶とすることができる。
【００１１】
上記のメタノールを燃料とする船舶において、船舶がメタノール運搬船であり、荷役用ポンプを使用して、メタノールをメタノール貨物倉又はスロップタンクから前記メタノール燃料タンクヘ供給するために、前記荷役用ポンプと前記メタノール燃料タンクとを接続する第５配管を備えて構成すると、積み荷も含めたメタノールを燃料として使用できる。ここで、スロップタンクとは上甲板下において燃料その他用タンクとして貨物倉の一部を割り当てたもの、もしくは貨物倉の近傍に別に設けたものである。
【００１２】
上記のメタノールを燃料とする船舶において、イナートガス発生システムを設け、該イナートガス発生システムと前記バルブユニットとを接続するガス配管を設けて、前記イナートガス発生システムで発生するイナートガスを、前記バルブユニットを介して前記メタノール供給システムと前記バルブユニットと前記内燃機関に供給して、前記メタノール供給システム、前記バルブユニット、前記内燃機関、前記第１配管、前記第２配管、前記第３配管、及び、前記第４配管をイナートガスでパージ可能に構成すると、これにより、各配管や装置の内部のメタノールをイナートガスでパージできるので、保守点検時や装置交換などの場合に、容易にかつ安全にメタノールをパージできるようになる。
【００１３】
上記のメタノールを燃料とする船舶において、前記バルブユニットを、前記メタノール供給システムより高い位置に配置すると、これにより、第２配管を経由してメタノールドレンが重力で自然にメタノール供給システムに流れるようになる。また、バルブユニットは、上甲板上に配置されることによりディーゼルエンジンより高い位置になるので、第３配管を経由してメタノールが重力により自然にバルブユニットからディーゼルエンジンへ流れるようになる。
【発明の効果】
【００１４】
本発明のメタノールを燃料とする船舶によれば、液化天然ガス燃料が直面している問題を克服でき、液化天然ガスを燃料とする場合よりも、低コストで、排気ガス中の硫黄酸化物と二酸化炭素の排出量を低くすることができる。
【図面の簡単な説明】
【００１５】
【図１】本発明の第１の実施の形態のメタノールを燃料とする船舶の構成を模式的に示す機関室近傍の側面断面図である。
【図２】本発明の第１の実施の形態のメタノールを燃料とする船舶の構成を模式的に示す機関室近傍の平面断面図である。
【図３】本発明の第２の実施の形態のメタノールを燃料とする船舶の構成を模式的に示す機関室近傍の側面断面図である。
【図４】本発明の第２の実施の形態のメタノールを燃料とする船舶の構成を模式的に示す機関室近傍の平面断面図である。
【発明を実施するための形態】
【００１６】
以下、本発明に係る実施の形態のメタノールを燃料とする船舶について、図面を参照しながら説明する。なお、図１と図２、及び、図３と図４では、装置の前後が必ずしも一致していないが、図１、及び、図３では、説明的に、装置の重なりを避けて、前後方向に並べて表示している。図１及び図３では、機器類等を図示する必要があるため、メタノールドレンタンク１６とポンプ類を配置する区画７を説明用に特に大きくして示してある。
【００１７】
図１及び図２に示すように、本発明の第１の実施の形態のメタノールを燃料とする船舶(以下船舶という)１は、機関室２、プロペラ３、舵４、上部構造物（船橋、居室等）５、貨物倉９を備えて構成され、この機関室２（斜線のハッチング部分）の内部には、ディーゼルエンジン(内燃機関)１１、ディーゼル発電機等の補機（図示しない）や各種機器（図示しない）が配置されている。
【００１８】
そして、本発明の船舶１では、主機関として使用され、ディーゼルエンジン１１をメタノールを燃料として運転可能なエンジンにすると共に、メタノールを燃料として貯蔵するメタノール燃料タンク１２と、このメタノール燃料タンク１２からディーゼルエンジン１１にメタノールを供給するメタノール供給システム１３と、メタノールの供給と供給量を制御する制御弁を集中して配置したバルブユニット１４と、イナートガス発生システム１５を上甲板６上に配置する。
【００１９】
このメタノール燃料タンク１２と、メタノール供給システム１３と、バルブユニット１４は、上部構造物５の外部に配置する。これにより、これらの装置から、万一メタノールが漏れたとしても、上部構造物５の内部に漏れないようにすることができる。更に、好ましくは、このメタノール燃料タンク１２と、メタノール供給システム１３と、バルブユニット１４と、イナートガス発生システム１５は、上甲板６上の同一区画に配置する。これにより、これらの装置から、万一、メタノールやイナートガスが漏れたとしても、この区画内に漏れるので、ガス漏れ時の対応がし易くなる。また、イナートガス発生システム１５は、機関室２や、エンジンケーシングと呼ばれる上部構造物５の後方区画や、上甲板６下にも配置される場合もある。
【００２０】
また、ディーゼルエンジン１１から排出されるメタノールドレンを受け入れるメタノールドレンタンク１６を機関室２の前方の仕切りである横隔壁２ａより前に、即ち、機関室２の外部、例えば、機関室２の前または後に設けられる、メタノールドレンタンク１６とポンプ類を配置する区画７に配置する。これにより、この装置から、万一メタノールが漏れたとしても、機関室２の内部に漏れないようにすることができる。
【００２１】
そして、メタノール燃料タンク１２からメタノール供給システム１３へメタノールを供給する第１配管２１と、メタノール供給システム１３からバルブユニット１４へメタノールを供給する第２配管２２と、バルブユニット１４からディーゼルエンジン１１へメタノールを供給する第３配管２３と、ディーゼルエンジン１１からメタノールドレンタンク１６へメタノールドレンを供給する第４配管２４を設けて構成する。
【００２２】
この第３配管２３と第４配管２４の機関室２の内部に配置される配管部分２３ａ、２４ａを二重管にして構成する。この二重管の構造により、万一、内側の配管からメタノールが漏れても、この漏出を検知して機関室２の内部に漏出する前に対処することができるので、機関室２の内部にメタノールが漏れることを防止できる。メタノールドレンタンク１６に溜められたメタノールは、ドレンポンプ１７を用いてメタノール燃料タンク１２またはレジデュータンクへ移送される。
【００２３】
また、ディーゼルエンジン１１からメタノール燃料タンク１２にメタノールをリターンする第１戻り配管２５と、メタノール供給システム１３からメタノール燃料タンク１２にメタノールをリターンする第２戻り配管２６を設ける。この第１戻り配管２５の機関室２の内部に配置される配管部分２５ａは二重管にして構成する。
【００２４】
また、必要に応じて、第１戻り配管２５と第２戻り配管２６の各々の配管、又は、これらの配管を合流させて、配管に戻り用ポンプ（図示しない）を設ける。これにより、メタノールのメタノール燃料タンク１２への戻しを迅速に行うことができるようになる。
【００２５】
なお、各配管２１、２２、２３、２４等に対しても戻り配管（図示しない）を設けることが好ましく、この場合は、各配管２１、２２、２３、２４の最下部に戻り配管（図示しない）を接続して、各配管２１、２２、２３、２４の内部にメタノールが残留しないようにする。
【００２６】
また、メタノール供給システム１３は、ポンプ（図示しない）を有して構成され、例えば、−１０℃〜４５℃程度のメタノール(液体)を、出口圧力を例えば、７ｂａｒ〜９ｂａｒにして吐出する。このときの出口温度は、例えば、１０℃〜７０℃程度である。
【００２７】
このメタノール供給システム１３は、メタノールが低引火点であるので、ポンプなどの圧力が生じる機器や弁などの漏れが発生し得る機器を火災の危険性が高い機関室２外に配置するものである。
【００２８】
また、バルブユニット１４は、メタノールのディーゼルエンジン１１への供給を制御する制御弁を集中的に配置した機構であり、火災の危険性が高い機関室２外に配置される。これらの制御弁はディーゼルエンジン１１を制御する制御装置(図示しない)で制御される。このバルブユニット１４は、メタノール供給システム１３より高い位置に配置される。これにより、メタノール供給システム１３のポンプが停止した時には、第２配管２２を経由してメタノールドレンが重力で自然にメタノール供給システム１３に流れるようになる。また、バルブユニット１４は、上甲板６上に配置されることによりディーゼルエンジン１１より高い位置になるので、第３配管２３を経由してメタノールが重力により自然にバルブユニット１４からディーゼルエンジン１１へ流れるようになる。
【００２９】
なお、イナートガス発生システム１５は、窒素ガス（Ｎ2）や二酸化炭素（ＣＯ2）等のイナートガスを発生して供給するシステムであり、イナートガス発生システム１５とバルブユニット１４とを接続するガス配管３１を備えて構成され、メタノールのパージのときに、発生したイナートガスを、ガス配管３１が接続されたバルブユニット１４から、第３配管２３経由でディーゼルエンジン１１に、また、第２配管２２、メタノール供給システム１３、第１配管２１経由で、メタノール燃料タンク１２に供給して、各配管や装置の内部のメタノールをイナートガスでパージ可能なように構成される。これにより、保守点検時や装置交換などの場合に、容易にかつ安全にメタノールをパージできるようになる。
【００３０】
このメタノールのパージは、メタノールを、バルブユニット１４から第３配管２３を経由して、あるいは、直接、ディーゼルエンジン１１経由で、第４配管２４を経由して、メタノールドレンタンク１６の入り口側に設けたレベルスイッチにより、このメタノールドレンタンク１６への弁を開くことで、メタノールをメタノールドレンタンク１６まで移送する。
【００３１】
この移送中の間、第４配管２４には、メタノール供給圧力とほぼ同じ圧力(例えば、８ｂａｒ）のイナートガスを供給し、メタノールのメタノールドレンタンク１６への移送をアシストする。これにより、大気圧よりも高い圧力のイナートガスにより、第４配管２４内の圧力を高くしてメタノールの沸騰による気化を防ぐことができる。
【００３２】
また、第４配管２４内に残留する気化したメタノールを除去するために、圧力が７ｂａｒ〜９ｂａｒのイナートガスでパージを行う。このパージは、３〜７回程度行われ、また、メタノール運転をする前にも実行される。
【００３３】
この第１の実施の形態のメタノールを燃料とする船舶１によれば、メタノール燃料タンク１２とメタノール供給システム１３とバルブユニット１４とメタノールドレンタンク１６を機関室２の外部に配置しているので、これらの装置から万一メタノールが漏れたとしても、機関室２の内部にメタノールが漏れることが無くなる。
【００３４】
また、第３配管２３と第４配管２４は機関室２の内部に配置される配管部分２３ａ、２４ａは二重管にしているので、万一、内側の配管からメタノールが漏れても、この漏出を検知して機関室２の内部に漏出する前に対処することができるので、機関室２の内部にメタノールが漏れることを防止できる。従って、安全にメタノールを機関室２内の機関で燃焼することができる。
【００３５】
例えば、万一、配管部分２４ａの二重管の内管から、この内管と外管との間のすき間にメタノールが漏れた場合の非常時には、メタノールドレンタンク１６の入り口側に設けたレベルスイッチにより漏れを検出できるとともに、漏れたメタノールを安全にメタノールドレンタンク１６に回収できる。
【００３６】
次に、第２の実施の形態のメタノールを燃料とする船舶１Ａについて、図３及び図４を参照しながら説明する。この第２の実施の形態では、船舶１Ａはメタノール運搬船であり、メタノールドレンタンク１６とポンプ類を配置する区画７に配置された荷役用ポンプ８を使用して、メタノールをメタノール貨物倉９Ａまたはスロップタンクからメタノール燃料タンク１２へ供給するために、荷役用ポンプ８とメタノール燃料タンク１２とを接続する第５配管４１を備えて構成する。この構成によれば、積み荷も含めたメタノールを燃料として使用できる。
【産業上の利用可能性】
【００３７】
本発明のメタノールを燃料とする船舶は、液化天然ガス燃料を燃料として使用する場合に直面している、極低温への設備対策と利用効率の問題点を克服でき、低コストで、排気ガス中の硫黄酸化物と二酸化炭素の排出量を低くできるので、メタノール運搬船のみならず、多くの船舶に利用することができる。
【符号の説明】
【００３８】
１  船舶（メタノールを燃料とする船舶）
１Ａ  メタノール運搬船（メタノールを燃料とする船舶）
２  機関室
２ａ  横隔壁
３  プロペラ
４  舵
５  上部構造物（船橋、居室等）
６  上甲板
７  メタノールドレンタンクとポンプ類を配置する区画
８  荷役用ポンプ
９  貨物倉
９Ａ  メタノール貨物倉
１１  ディーゼルエンジン(内燃機関)
１２  メタノール燃料タンク
１３  メタノール供給システム
１４  バルブユニット
１５  イナートガス発生システム
１６  メタノールドレンタンク
１７  ドレンポンプ
２１  第１配管
２２  第２配管
２３  第３配管
２３ａ  第３配管の機関室の内部に配置される配管部分
２４  第４配管
２４ａ  第４配管の機関室の内部に配置される配管部分
２５  第１戻り配管
２６  第２戻り配管
３１  ガス配管
４１  第５配管
【図１】
2015221645.tif 000003
【図２】
2015221645.tif 000004
【図３】
2015221645.tif 000005
【図４】
2015221645.tif 000006